(57)【要約】【課題】運転員の操作負担を大幅に軽減することができるプラント監視制御システムを提供することを目的とする。【解決手段】監視制御装置１４は、運転員がマウス１９による操作によりマーキングポイントデータベース４９に登録されたマーキングポイントを選択すると、トレンドグラフ画面６２が分割され、現在データのトレンドグラフ画面による表示は継続したままで、選択されたマーキングポイント９１の該当時刻を基準として表示可能な時間幅の過去データをトレンドグラフデータベース４１に保存されたデータから取得し、この過去データに該当するトレンドグラフも表示することにより、現在データと過去データを対比する。【選択図】図１
2017215881.tif 000002
【特許請求の範囲】
【請求項１】
プラント監視制御対象機器を監視制御するコントローラと、
上記コントローラが収集した監視データを表示可能となるように再構成するとともに上記コントローラに送信する制御データを生成する監視制御装置と、
上記プラント監視制御対象機器の状態を表示する表示装置と
上記表示装置に表示される画面に対して運転員が画面入力操作を行なうための入力装置を備えたプラント監視制御システムであって、
上記監視制御装置は、上記監視データをトレンドグラフデータとして時系列に保存するトレンドグラフデータベースと、上記プラント監視制御対象機器の状態を表示しているトレンドグラフ画面において上記運転員が上記入力装置の操作により特定されたマーキングポイントにおける該当時刻を格納するマーキングポイントデータベースを備え、
上記監視制御装置は、上記運転員が上記入力装置の操作により上記マーキングポイントデータベースに登録された上記マーキングポイントの上記該当時刻を選択すると、上記トレンドグラフ画面が分割され、現在データのトレンドグラフによる表示は継続したままで、選択された上記マーキングポイントの上記該当時刻を基準として表示可能な時間幅の第１の過去データを上記トレンドグラフデータベースから取得し、上記第１の過去データに該当するトレンドグラフを上記現在データの上記トレンドグラフと対比して表示することを特徴とするプラント監視制御システム。
【請求項２】
上記監視制御装置は、上記マーキングポイントの上記該当時刻を中心とした一定期間のトレンドグラフデータを格納した指定期間保存トレンドグラフデータベースを備え、
上記監視制御装置は、選択された上記マーキングポイントの上記該当時刻を中心とした上記一定期間の第２の過去データを上記指定期間保存トレンドグラフデータベースから取得し、上記第２の過去データに該当するトレンドグラフを上記現在データの上記トレンドグラフと対比して表示することを特徴とする請求項１記載のプラント監視制御システム。
【請求項３】
上記指定期間保存トレンドグラフデータベースを有するリムーバブルメディアを設け、
上記監視制御装置は、選択された上記マーキングポイントの上記該当時刻を中心とした上記一定期間の上記第２の過去データを上記リムーバブルメディアにおける上記指定期間保存トレンドグラフデータベースから取得することを特徴とする請求項２記載のプラント監視制御システム。
【請求項４】
上記プラント監視制御対象機器に関連する警報履歴情報が表示された警報履歴一覧画面で警報イベントを選択した場合、上記監視制御装置は、上記トレンドグラフ画面に現在データを継続表示し、更に上記警報イベントの発生時刻を基準として上記トレンドグラフ画面に表示可能な時間幅の第３の過去データを上記トレンドグラフデータベースから収集し、上記第３の過去データを上記トレンドグラフ画面において上記現在データと対比表示することを特徴とする請求項１記載のプラント監視制御システム。
【請求項５】
上記プラント監視制御対象機器に関連する機器操作動作履歴情報が表示された機器操作動作履歴一覧画面で機器操作動作イベントを選択した場合、上記監視制御装置は、上記トレンドグラフ画面に現在データを継続表示し、更に上記機器操作動作イベントの発生時刻を基準として上記トレンドグラフ画面に表示可能な時間幅の第４の過去データを上記トレンドグラフデータベースから収集し、上記第４の過去データを上記トレンドグラフ画面において上記現在データと対比表示することを特徴とする請求項１記載のプラント監視制御システム。
【発明の詳細な説明】
【技術分野】
【０００１】
この発明はプラント監視制御システムに関するものであり、特に上下水処理の公共プラントなどの各種プラントの監視制御を行うプラント監視制御システムに関するものである。
【背景技術】
【０００２】
従来のプラント監視システムは、トレンドグラフ画面にプラント監視制御対象機器から収集した計測データを逐次表示することにより、プラント監視制御対象機器の状態をリアルタイムで運転員に知らしめている。運転員はトレンドグラフ画面、警報履歴一覧画面、および機器操作動作履歴一覧画面などを切り替えながら表示させ、プラント監視制御対象機器に対する操作の結果を確認したり、プラント監視制御対象機器の故障等のプラント異常やプラント監視制御システム異常が発生した場合に対処するものである。
【０００３】
このため現在のプラント監視制御対象機器の状態を判断する方法として過去のプラント状態のトレンドグラフが参考になるが、これを表示するには現在データのトレンドグラフ画面を切り替えて過去データのトレンドグラフ画面を表示させる方法や、トレンドグラフ画面を分割して現在データと過去データを表示させる方法が提案されている。トレンドグラフ画面に表示させる過去データは、時刻情報と時間情報を運転員が画面入力すること等を行ない、過去データが保存されている記憶装置や記憶媒体から取得する。
【０００４】
しかしリアルタイムで運用されているプラント監視制御システムでは、機器操作やプラント異常などのイベント発生時刻を正確に漏れなく覚えておくことは難しい。またプラント監視制御は運転員が交代で行なうことが多いため他の運転員が行なった操作などは機器操作動作履歴一覧画面にて確認しなければならない。このように、リアルタイムで変化するプラント監視制御対象機器の状態を正確で効率よく監視制御するために有効となる過去データと現在データとを対比して表示させるための処理に手間や時間が掛かるとともに、所望する過去データをなかなか得られない場合もありうる。
【０００５】
このような技術として以下に示すようなものがあった。即ち表示モードとしては通常表示モードと指定表示モードを選択することができ、通常表示モードでは従来と同じように測定信号がリアルタイムでＣＲＴなどの表示画面全体にトレンド表示される。指定表示モードが選択されると、表示画面が２又は３以上に分割され、そのうちの１つの表示画面には測定信号がリアルタイムでトレンド表示され、他の表示画面には指定時点の指定時間のデータがメモリから読み出されて表示部に転送され表示される。指定時点は例えば手術開始時であったり、現時点から６０分前というように、種々に指定することができるものである（特許文献１参照）。
【０００６】
又測定データをデータ記憶させるとともに、リアルタイムで表示画面に表示する。一方、指定基準時以前の過去データを別画面に画面サイズに表示できる分を表示させることにより指定基準時以前の状態と現在時刻の状態とを比較するものがあった（特許文献２参照）。
更に測定データをデータ記憶させるとともに、リアルタイムで表示画面に表示し、一方過去データはデータ量に応じて圧縮して別画面に表示する。そして圧縮したデータの拡大表示は可能であるものがあった（特許文献３参照）。
【先行技術文献】
【特許文献】
【０００７】
【特許文献１】特開平５−３４１７７１号公報
【特許文献２】特開平９−２６３３６号公報
【特許文献３】特開２００２−３４０９３６号公報
【発明の概要】
【発明が解決しようとする課題】
【０００８】
従来のプラント監視制御システムは以上のように構成されており、上記特許文献１のプラント監視制御ではイベント（プラント異常など）発生以前のプラント状態も把握する必要があるため、現在データと過去データとの対比という点でデータ不足は否めないという問題点があった。またイベント発生時刻を予測して画面入力する必要があるという問題点もあった。
又上記特許文献２のプラント監視制御ではイベント（プラント異常など）発生以降のプラント状態も把握する必要があるため、現在データと過去データとの対比という点でデータ不足は否めないという問題点があった。またイベント発生時刻を予測して設定する必要があるという問題点もあった。
更に特許文献３では、過去データは記録チャート紙のイメージで表示されるため、過去データの最大値及び最小値自体は分かり易いが、過去データが増えるにつれてデータの圧縮が必須となるため、圧縮データを拡大して対比させるイベント発生前後の過去データを探し出し表示する操作が面倒になるという問題点があった。
【０００９】
この発明は上記のような課題を解決するためになされたものであり、現在データをトレンドグラフ画面にリアルタイムで逐次表示させながら、運転員が現在データと過去のプラント状態との対比を所望する場合に、運転員が簡単な操作を行うことにより、現在データと過去データを簡単な操作で確実に対比できるようにし、運転員の操作負担を大幅に軽減することができるプラント監視制御システムを提供することを目的とする。
【課題を解決するための手段】
【００１０】
この発明に係るプラント監視制御システムは、プラント監視制御対象機器を監視制御するコントローラと、
上記コントローラが収集した監視データを表示可能となるように再構成するとともに上記コントローラに送信する制御データを生成する監視制御装置と、
上記プラント監視制御対象機器の状態を表示する表示装置と
上記表示装置に表示される画面に対して運転員が画面入力操作を行なうための入力装置を備えたものであって、
上記監視制御装置は、上記監視データをトレンドグラフデータとして時系列に保存するトレンドグラフデータベースと、上記プラント監視制御対象機器の状態を表示しているトレンドグラフ画面において上記運転員が上記入力装置の操作により特定されたマーキングポイントにおける該当時刻を格納するマーキングポイントデータベースを備え、
上記監視制御装置は、上記運転員が上記入力装置の操作により上記マーキングポイントデータベースに登録された上記マーキングポイントの上記該当時刻を選択すると、上記トレンドグラフ画面が分割され、現在データのトレンドグラフによる表示は継続したままで、選択された上記マーキングポイントの上記該当時刻を基準として表示可能な時間幅の第１の過去データを上記トレンドグラフデータベースから取得し、上記第１の過去データに該当するトレンドグラフを上記現在データの上記トレンドグラフと対比して表示するものである。
【発明の効果】
【００１１】
上記のように構成されたプラント監視制御システムによれば、現在データと対比したい過去データを確実にかつ何度でも参照することができるので、運転員の操作負担が大幅に軽減されるとともに、過去のプラント異常やプラント監視制御システム異常の発生個所及びその原因を参考にして、新たに発生の可能性があるプラント異常やプラント監視制御システム異常に対して迅速に対処することができる。
【図面の簡単な説明】
【００１２】
【図１】実施の形態１によるプラント監視制御システムおよびプラント監視制御システムにより監視制御されるプラント監視制御対象機器を示す全体構成図である。
【図２】実施の形態１によるプラント監視制御システムを示すブロック構成図である。
【図３】実施の形態１で実行されるトレンドグラフ画面分割表示機能を説明するための系統フロー画面の一例を示すものである。
【図４】実施の形態１による警報履歴一覧画面を示す図である。
【図５】実施の形態１による機器操作動作履歴一覧画面を示す図である。
【図６】実施の形態１によるトレンドグラフ画面の一例を示す図である。
【図７】実施の形態１で実行されるトレンドグラフ画面分割表示機能を説明するためのカーソル移動後のトレンドグラフ画面だけを抜き出した図である。
【図８】実施の形態１で実行されるトレンドグラフ画面分割表示機能を説明するためのマウスの右ボタン操作メニューのウィンドウを示す図である。
【図９】実施の形態１におけるマーキングポイント操作ウィンドウおよびサブウィンドウを示す図である。
【図１０】実施の形態１による２分割されたトレンドグラフ画面の一例を示す図である。
【図１１】実施の形態１による４分割されたトレンドグラフ画面の一例を示す図である。
【図１２】実施の形態１による４分割されたトレンドグラフ画面の一例を示す図である。
【図１３】実施の形態２によるプラント監視制御システムを示すブロック構成図である。
【図１４】実施の形態３によるプラント監視制御システムを示すブロック構成図である。
【図１５】実施の形態４による警報履歴一覧画面を示す図である。
【図１６】実施の形態４による２分割されたトレンドグラフ画面の一例を示す図である。
【図１７】実施の形態５による機器操作動作履歴一覧画面を示す図である。
【図１８】実施の形態５による２分割されたトレンドグラフ画面の一例を示す図である。
【発明を実施するための形態】
【００１３】
実施の形態１．
以下実施の形態１によるプラント監視制御システムを図面に基づいて説明する。図１はプラント監視制御システムおよびプラント監視制御システムにより監視制御されるポンプ、弁などのプラント監視制御対象機器を示す全体構成図である。プラント監視制御システム１１は、プラント監視制御対象機器１２を監視制御する複数のコントローラ１３と、コントローラ１３が収集した監視データを表示可能となるように再構成するとともにコントローラ１３に送信する制御データを生成する監視制御装置１４と、監視制御装置１４と複数のコントローラ１３との間のデータ通信を行なうＬＡＮ１５により構成されている。
【００１４】
監視制御装置１４は、トレンドグラフデータベース４１と、警報履歴データベース４２と、機器操作動作履歴データベース４３と、機器情報データベース４７と、機器相互関連情報データベース４８と、マーキングポイントデータベース４９とを備えている。更にプラント監視制御システム１１には表示装置１６と、入力装置１７が設けられている。トレンドグラフデータベース４１は監視データをトレンドグラフデータとして時系列に保存する。警報履歴データベース４２は監視データに基づく警報イベントを警報履歴データとして時系列に保存する。機器操作動作履歴データベース４３はプラント監視制御対象機器１２に対して運転員が行った操作および機器動作の履歴データを機器操作動作履歴データとして時系列に保存する。機器情報データベース４７はプラント監視制御対象機器１２の機器情報を保存する。
【００１５】
機器相互関連情報データベース４８はプラント監視制御対象機器１２の上流側に位置する機器もしくは下流側に位置する機器の相互関連情報を保存する。表示装置１６はプラント監視制御対象機器１２の相互関連や現在の状態を表示したり前記機器の状態をトレンド表示し、更には警報イベントや運転員による操作および機器の動作イベントなどを表示する。入力装置１７は表示装置１６に表示される各種画面に対して運転員が画面入力操作を行なうためのものであり、キーボード１８とマウス１９からなる。マーキングポイントデータベース４９はプラント監視制御対象機器１２の状態をリアルタイムで表示しているトレンドグラフ画面６２（図７参照）において運転員が何らかの気になる箇所（以降、マーキングポイントと記す）を見つけるとマウス１９による簡易操作により当該箇所の発生時刻（マーキングポイントの該当時刻）や関連情報を格納しておくものである。
【００１６】
図２は実施の形態１で実行されるトレンドグラフ画面分割表示機能の動作を分かり易く説明するためのブロック図である。監視制御装置１４は、ネットワーク処理部３１と、データ管理処理部３２と、画面表示入力処理部２１を有する。更に画面表示入力処理部２１は系統フロー画面表示入力処理部２２と、トレンドグラフ画面表示入力処理部２３と、警報履歴一覧画面表示入力処理部２４と、機器操作動作履歴一覧画面表示入力処理部２５を備えている。ネットワーク処理部３１はコントローラ１３が収集した監視データを受信するとともに運転員により各種画面から入力された制御データをコントローラ１３へ送信する。データ管理処理部３２はネットワーク処理部３１から送信された監視データに対して正規化などの処理を行い、更に現在データとしてリアルタイムに画面表示を行なう系統フロー画面表示入力処理部２２に送信する。又データ管理処理部３２はトレンド表示用データとしてトレンドグラフデータベース４１に格納させ、監視データが水位、流量などプラント監視制御対象機器１２の数値データの場合には数値データの警報判定により必要に応じて警報イベントを発生させるとともに警報履歴データベース４２に格納させる。更にデータ管理処理部３２は監視データがポンプ、弁などプラント監視制御対象機器１２の動作信号又は警報信号の場合に、それが動作信号の場合には動作イベントを発生させ機器操作動作履歴データベース４３に格納させる。又警報信号の場合にはそれをそのまま警報イベントとして処理する。
【００１７】
系統フロー画面表示入力処理部２２は機器情報データベース４７や機器相互関連情報データベース４８の情報を元にプラント監視制御対象機器１２を系統的に画面表示した上でリアルタイム監視データを画面表示する。更に系統フロー画面表示入力処理部２２はプラント監視制御対象機器１２に対して運転員が画面入力することにより制御及び操作ができるようにする。トレンドグラフ画面表示入力処理部２３はトレンドグラフデータを時系列表示させるとともに運転員による画面入力操作を可能にさせる。警報履歴一覧画面表示入力処理部２４は警報履歴データを時系列表示するとともに運転員による画面入力操作を可能にさせる。機器操作動作履歴一覧画面表示入力処理部２５は機器操作動作履歴データを時系列表示するとともに運転員による画面入力操作を可能にさせる。画面表示入力処理部２１は系統フロー画面表示入力処理部２２とトレンドグラフ画面表示入力処理部２３と警報履歴一覧画面表示入力処理部２４と機器操作動作履歴一覧画面表示入力処理部２５の互いの画面表示入力の相互管理を行なう。
【００１８】
図３は実施の形態１で実行されるトレンドグラフ画面分割表示機能を説明するための系統フロー画面の一例を示すものである。系統フロー画面６１はプラント監視制御対象となる系統に属するプラント監視制御対象機器１２をシンボル表示するとともに各機器に関する監視データを数値データ表示８１や状態表示８２として表示を行なう。当該画面の左端には系統フロー画面６１、後に説明するトレンドグラフ画面６２、警報履歴一覧画面６３、および機器操作動作履歴一覧画面６４の各画面を呼び出すための操作ボタン（系統フローボタン６５、トレンドグラフボタン６６、警報履歴一覧ボタン６７、機器操作動作履歴一覧ボタン６８）が配置されている。系統フローボタン６５は画面表示したい系統名を選択するためのプルダウンメニューを持つ。また当該画面の左下部には系統フローボタン６５で選択済みの系統に関連する警報履歴一覧画面６３を表示されている。さらに当該画面の中央下部には系統フローボタン６５で選択済みの系統に関連する機器操作動作履歴一覧画面６４が表示されている。尚図４は警報履歴一覧画面６３のみを示す画面の一例であり、又図５は機器操作動作履歴一覧画面６４の画面の一例を示すものである。
【００１９】
図６は実施の形態１で実行されるトレンドグラフ画面分割表示機能を説明するためのトレンドグラフ画面の一例を示すものである。図３において、系統フロー画面６１の左端のトレンドグラフボタン６６を押下することにより系統フローボタン６５で選択済みの系統に関連するトレンドグラフ画面６２が表示される。当該画面の左端にある系統フローボタン６５を押下しプルダウンメニューから画面表示したい系統名を選択することにより系統フロー画面６１（図３参照）を表示させる。その他の操作ボタンについては図３と同様である。
【００２０】
図７は実施の形態１で実行されるトレンドグラフ画面分割表示機能を説明するためのカーソル移動後のトレンドグラフ画面６２だけを抜き出したものである。図７においては、プラント監視制御対象機器１２の状態をリアルタイムで表示しているトレンドグラフ画面６２において運転員がマーキングポイントを登録するためにマウス１９を使ってカーソル９１を当該マーキングポイントまで移動させた状態が示されている。そしてカーソル９１の位置が当該マーキングポイントの該当時刻となる。
【００２１】
図８は実施の形態１で実行されるトレンドグラフ画面分割表示機能を説明するためのマウス１９の右ボタン操作メニューのウィンドウ１０１を示すものである。図７のトレンドグラフ画面６２において登録したいマーキングポイントへカーソル９１を移動させマウス１９の右ボタンを押下するとウィンドウ１０１が表示される。マウス右ボタン操作メニューのウィンドウ１０１にはマーキングポイントの操作を行なうマーキングポイント操作ボタン１０２が配置されている。
【００２２】
図９は実施の形態１で実行されるトレンドグラフ画面分割表示機能を説明するためのマウス１９の右ボタン押下時に起動されるマーキングポイント操作ウィンドウ１１１および各操作ボタンから呼び出されるサブウィンドウを示す。サブウィンドウはマーキングポイント登録ウィンドウ１２１、マーキングポイント一覧（参照）ウィンドウ１３１、マーキングポイント一覧（削除）ウィンドウ１４１、マーキングポイント一括削除ウィンドウ１５１、およびマーキングポイント削除ウィンドウ１６１で構成される。図８に示すマウス１９の右ボタン操作メニューのウィンドウ１０１でマーキングポイント操作ボタン１０２を選択するとマーキングポイント操作ウィンドウ１１１が表示される。
【００２３】
マーキングポイント操作ウィンドウ１１１はマーキングポイントを登録する登録ボタン１１２とマーキングポイントを参照する参照ボタン１１３とマーキングポイントを削除する削除ボタン１１４とマーキングポイントを一括削除する一括削除ボタン１１５から構成される。
マーキングポイント登録ウィンドウ１２１はカーソル９１が示す時刻をマーキングポイントとして登録する登録ボタン１２２と登録操作を止めるキャンセルボタン１２３から構成される。
マーキングポイント一覧（参照）ウィンドウ１３１はマーキングポイントデータベース４９に登録済みのマーキングポイントを操作ボタン形式で一覧表示するもので、マーキングポイント参照ボタン１３２を操作することにより実行する。又当該操作ボタンの名称はマーキングポイントＩＤと発生時刻で構成される。一覧表示は並べ替えが可能で登録順１３３、時刻順１３４、現在時刻に近い順１３５の３パターンから選択できる。さらにトレンドグラフ画面の分割数が２を超える場合にはデータ量削減１３６または表示時間短縮１３７を選択する。
【００２４】
マーキングポイント一覧（削除）ウィンドウ１４１は登録済みのマーキングポイントを操作ボタン形式で一覧表示するもので当該操作ボタンの名称はマーキングポイントＩＤと発生時刻で構成される。そしてマーキングポイント削除ボタン１４２の中から該当ボタンを選択しマーキングポイント削除ウィンドウ１６１を呼び出す。マーキングポイント一括削除ウィンドウ１５１はマーキングポイントを一括削除する削除ボタン１５２と一括削除操作を止めるキャンセルボタン１５３とを持つ。マーキングポイント削除ウィンドウ１６１はマーキングポイントを削除する削除ボタン１６２と削除操作を止めるキャンセルボタン１６３とを持つ。
【００２５】
図１０は実施の形態１で実行されるトレンドグラフ画面分割表示機能を説明するための２分割されたトレンドグラフ画面の一例である。マーキングポイント一覧（参照）ウィンドウ１３１に表示されているマーキングポイント参照ボタン１３２を選択することにより当該画面が表示される。現在データを表示するトレンドグラフ画面が分割され、現在データのトレンドグラフ画面は画面上段に継続表示され、画面下段にマーキングポイント参照ボタン１３２で選択されたマーキングポイントを基準（中心）Ａとして表示可能な時間幅のデータを、トレンドグラフデータベース４１に逐次保存された過去データ（第１の過去データ）から取得し、画面表示する。
【００２６】
図１１は実施の形態１で実行されるトレンドグラフ画面分割表示機能を説明するための４分割されたトレンドグラフ画面の一例である。２点または３点のマーキングポイントの参照をマウス右ボタン操作メニューのウィンドウ１０１から実行するとトレンドグラフ画面を４分割した画面表示の構成となる。表示する時間幅は図１０のトレンドグラフ画面と変わらないため、表示するトレンドデータを飛び飛びに表示するなどして表示するデータ量を削減することにより複数画面表示を可能とする。図１１においては、右上段に現在データが継続表示され、右下段においてはマーキングポイントＢを基準としてトレンドグラフ画面６２に表示可能な時間幅を有する過去データが表示され、左上段においてはマーキングポイントＣを基準としてトレンドグラフ画面６２に表示可能な時間幅を有する過去データが表示され、左下段においてはマーキングポイントＤを基準としてトレンドグラフ画面６２に表示可能な時間幅を有する過去データが表示される。
【００２７】
図１２は実施の形態１で実行されるトレンドグラフ画面分割表示機能を説明するための４分割されたトレンドグラフ画面の一例である。２点または３点のマーキングポイントの参照をマウス右ボタン操作メニューのウィンドウ１０１から実行するとトレンドグラフ画面を４分割した画面表示の構成となる。表示する時間幅は図１０及び図１１のトレンドグラフ画面の半分とすることにより表示されるデータ量を削減することができ、複数画面表示が更に容易となる。尚グラフ表示の方法は図１１の場合と基本的に同じである。即ち右下段においてはマーキングポイントＢを基準としてトレンドグラフ画面６２に表示可能な時間幅を有する過去データが表示され、左上段においてはマーキングポイントＣを基準としてトレンドグラフ画面６２に表示可能な時間幅を有する過去データが表示され、左下段においてはマーキングポイントＤを基準としてトレンドグラフ画面６２に表示可能な時間幅を有する過去データが表示される。
【００２８】
次に動作について説明する。コントローラ１３は、プラントに設置されたポンプや弁などのプラント監視制御対象機器１２を制御するとともにプラント監視制御対象機器１２から送信される監視データを取得する。なお監視データとはプラント監視制御対象機器１２の現在の値（状態値）のことであり、プラント監視制御対象機器１２が流量計などの計測機器の場合には当該計測機器で計測された実測値（数値データ）であり、プラント監視制御対象機器１２が弁などの場合にはその動作を示す動作信号であり、またプラント監視制御対象機器１２から発生される警報信号や故障信号などの異常信号も監視データに含まれる。監視制御装置１４は、コントローラ１３からＬＡＮ１５を経由して監視データを受信し、加工して画面表示を行う。一方ＬＡＮ１５を経由して運転員の操作により画面入力された制御データをコントローラ１３へ送信する。
【００２９】
監視制御装置１４の内部動作について図１〜図６に基づいて説明する。ネットワーク処理部３１はＬＡＮ１５を経由してコントローラ１３から受信した監視データをデータ管理処理部３２へ送信するとともに、データ管理処理部３２から送られた制御データをＬＡＮ１５を経由してコントローラ１３へ送信する。
データ管理処理部３２はネットワーク処理部３１から送られた監視データに対して正規化などの処理を行い、リアルタイムに画面表示を行なう系統フロー画面表示入力処理部２２に現在データとして送信し、またトレンド表示用データとしてトレンドグラフデータベース４１に格納する。又データ管理処理部３２は監視データが水位、流量などプラント監視制御対象機器１２の数値データの場合には数値データの警報判定により必要に応じて警報イベントを発生させるとともに警報履歴データベース４２に格納する。更にデータ管理処理部３２は監視データがポンプ、弁などプラント監視制御対象機器１２の動作信号や警報信号の場合にそれが動作信号の場合には動作イベントを発生させ機器操作動作履歴データベース４３に格納し、警報信号の場合にはそれをそのまま警報イベントとして警報履歴データベース４２に格納する。一方データ管理処理部３２は運転員により画面入力された制御データを系統フロー画面表示入力処理部２２から受け取り、ネットワーク処理部３１へ送る。
【００３０】
系統フロー画面表示入力処理部２２は運転員が系統フローボタン６５のプルダウンメニューから系統名を選択すると、機器情報データベース４７や機器相互関連情報データベース４８の情報を元に、該当するプラント監視制御対象機器１２のアイコンを系統フロー画面６１に系統的に画面表示し、データ管理処理部３２から送られた監視データを画面表示する。一方系統フロー画面表示入力処理部２２は運転員によって画面入力された制御データをデータ管理処理部３２およびネットワーク処理部３１を経由してコントローラ１３へ送信し、また運転員によって画面入力された機器操作をデータ管理処理部３２を経由し機器操作動作イベントとして機器操作動作履歴データベース４３に格納する。
【００３１】
トレンドグラフ画面表示入力処理部２３は運転員がトレンドグラフボタン６６を選択するとトレンドグラフデータベース４１からトレンドグラフ画面６２に表示可能な系統フローボタン６５で選択中の系統に該当するプラント監視制御対象機器１２のトレンドデータを取得し、トレンドグラフ画面６２に画面表示する。また運転員がトレンドグラフ画面６２で画面操作する各種情報も収集する。警報履歴一覧画面表示入力処理部２４は運転員が警報履歴一覧ボタン６７を選択すると警報履歴データベース４２から警報履歴一覧画面６３に表示可能な系統フローボタン６５で選択中の系統に該当するプラント監視制御対象機器１２に関連する警報履歴情報を取得し、警報履歴一覧画面６３に画面表示する。
【００３２】
機器操作動作履歴一覧画面表示入力処理部２５は運転員が機器操作動作履歴一覧ボタン６８を選択すると機器操作動作履歴データベース４３から機器操作動作履歴一覧画面６４に表示可能な系統フローボタン６５で選択中の系統に該当するプラント監視制御対象機器１２に関連する機器操作動作履歴情報を取得し、機器操作動作履歴一覧画面６４に画面表示する。画面表示入力処理部２１は系統フロー画面表示入力処理部２２、トレンドグラフ画面表示入力処理部２３、警報履歴一覧画面表示入力処理部２４、および機器操作動作履歴一覧画面表示入力処理部２５による画面表示入力の相互管理を行なう。
【００３３】
次にマーキングポイントの操作について図１および図８〜図１２に基づいて説明する。初めにマーキングポイントの登録について説明する。図７はトレンドグラフ画面分割表示機能を説明するためのカーソル移動後のトレンドグラフ画面６２だけを表示したものである。通常トレンドグラフの右端にあるカーソル９１をマウス１９により操作して、マーキングポイントへ移動させる。トレンドグラフ画面６２においてプラント監視制御対象機器１２の状態が明らかに変化した点がマーキングポイント（図７ではＸ点）の候補となる。マーキングポイントが決まるとマウス１９の右ボタンを押下し、マウス右ボタン操作メニューのウィンドウ１０１をポップアップ表示する（図８）。次にマウス右ボタン操作メニューのウィンドウ１０１のメニューの中からマーキングポイントの操作を行なうマーキングポイント操作ボタン１０２を選択する。
【００３４】
マーキングポイント操作ボタン１０２を選択すると図９に示すマーキングポイント操作ウィンドウ１１１をポップアップ表示するので、登録ボタン１１２を選択しマーキングポイント登録ウィンドウ１２１をポップアップ表示する。トレンドグラフ画面６２中のカーソル移動で選択したマーキングポイントを登録するためには当該ウィンドウで登録ボタン１２２を選択する。この操作により前述のマーキングポイントがマーキングポイントデータベース４９に登録される。他のマーキングポイントと区別するために自動でＩＤが割り振られ、マーキングポイントの該当時刻や系統名などの関連情報を付加して登録する。データベースに登録するので削除しない限り参照可能である。登録しない場合にはキャンセルボタン１２３を選択する。
【００３５】
次にマーキングポイントによる過去データ（第１の過去データ）の参照について説明する。即ち運転員が現在データと過去のプラント状態との対比を所望する場合である。この場合登録済みのマーキングポイントを選択すると現在表示中のトレンドグラフ画面６２を分割し、現在データを継続表示しながらマーキングポイントで指定する範囲の過去データを対比表示するものである（図１０〜図１２参照）。トレンドグラフ画面６２を表示中にマウス１９の右ボタンを押下し、マウス右ボタン操作メニューのウィンドウ１０１をポップアップ表示する（図８）。次にマウス右ボタン操作メニューのウィンドウ１０１のメニューの中からマーキングポイントの操作を行なうマーキングポイント操作ボタン１０２を選択する。
【００３６】
マーキングポイント操作ボタン１０２を選択すると図９に示すマーキングポイント操作ウィンドウ１１１をポップアップ表示するので参照ボタン１１３を選択しマーキングポイント一覧（参照）ウィンドウ１３１をポップアップ表示する。登録済みのマーキングポイントを操作ボタン形式で一覧表示する。このマーキングポイント参照ボタン１３２はマーキングポイントＩＤと該当時刻で構成されている。このマーキングポイント参照ボタン１３２を押下すると、現在データが表示されているトレンドグラフ画面６２が分割され、現在データのトレンドグラフ画面表示を継続したままで、他方選択された前述のマーキングポイントを基準（中心）としてトレンドグラフ画面６２に表示可能な範囲のトレンドデータをトレンドグラフデータベース４１に逐次保存された過去データ（第１の過去データ）から取得し別画面に表示する（図１０〜図１２参照）。このようにして現在データと過去データの対比を行なうことが容易にできる。前述の一覧表示形式のマーキングポイント参照ボタン１３２は並べ替えが可能であり、登録順１３３、時刻順１３４、現在時刻に近い順（１日の特定の時間帯と比較させたい場合に利用する）１３５を選択できる。２分割を超える場合にトレンドグラフ画面表示を見やすくするためにトレンド表示するデータ量を調整する機能としてデータ量削減１３６または表示時間短縮１３７を選択できる。
【００３７】
次にマーキングポイントの削除について説明する。これはマーキングポイントデータベース４９から登録済みのマーキングポイントを選択して削除するものである。トレンドグラフ画面６２を表示中にマウス１９の右ボタンを押下し、マウス右ボタン操作メニューのウィンドウ１０１をポップアップ表示する（図８）。次にマウス右ボタン操作メニューのウィンドウ１０１のメニューの中からマーキングポイントの操作を行なうマーキングポイント操作ボタン１０２を選択する。マーキングポイント操作ボタン１０２を選択すると、図９に示すマーキングポイント操作ウィンドウ１１１をポップアップ表示するので、削除ボタン１１４を選択し、マーキングポイント一覧（削除）ウィンドウ１４１をポップアップ表示する。ここでは登録済みのマーキングポイントを操作ボタン形式で一覧表示する。マーキングポイント削除ボタン１４２はマーキングポイントＩＤと該当時刻で構成されている。このマーキングポイント削除ボタン１４２を押下するとマーキングポイント削除ウィンドウ１６１が呼び出される。選択したマーキングポイントを削除するにはマーキングポイント削除ウィンドウ１６１で削除ボタン１６２を選択する。削除しない場合にはキャンセルボタン１６３を選択する。
【００３８】
次にマーキングポイントの一括削除について説明する。これはマーキングポイントデータベース４９から登録済みのマーキングポイントを一度にすべて削除するものである。
トレンドグラフ画面６２を表示中にマウス１９の右ボタンを押下し、マウス右ボタン操作メニューのウィンドウ１０１をポップアップ表示する（図８）。次にマウス右ボタン操作メニューのウィンドウ１０１のメニューの中からマーキングポイントの操作を行なうマーキングポイント操作ボタン１０２を選択する。マーキングポイント操作ボタン１０２を選択すると図９に示すマーキングポイント操作ウィンドウ１１１がポップアップ表示されるので一括削除ボタン１１５を選択しマーキングポイント一括削除ウィンドウ１５１をポップアップ表示する。登録済みのマーキングポイントをすべて削除するにはマーキングポイント一括削除ウィンドウ１５１で削除ボタン１５２を選択する。削除しない場合にはキャンセルボタン１５３を選択する。
【００３９】
以上のように簡単なマウス操作のみで現在データと対比したい過去データを確実にかつ何度でも参照することができるので、運転員の操作負荷が大幅に軽減されるとともに、過去のプラント異常やプラント監視制御システム異常の発生個所及びその原因を参考にして、新たに発生の可能性があるプラント異常やプラント監視制御システム異常に対して迅速に対処することも可能である。
【００４０】
実施の形態２．
上記実施の形態１では、トレンドグラフ画面に分割表示する過去データを、トレンドグラフデータベース４１から収集する場合について述べたが、本実施形態においては、図１３に示すように、指定期間保存トレンドグラフデータベース４４、指定期間保存警報履歴データベース４５、および指定期間保存機器操作動作履歴データベース４６を設けたものである。そしてトレンドグラフデータベース４１からではなく、指定期間保存トレンドグラフデータベース４４から、指定期間の再生時刻に対応するトレンドグラフデータ（第２の過去データ）を取り出すようにする。ここで指定期間保存トレンドグラフデータベース４４とは、実施の形態１で示したマーキングポイントの該当時刻を中心とした一定期間のトレンドグラフデータを別ファイルとして保存したものである。これにより指定期間で発生したプラント異常やプラント監視制御システム異常の発生個所や原因を参考にして、新たに発生の可能性があるプラント異常やプラント監視制御システム異常に対して迅速に対処することが可能である。又実施の形態１で使用するトレンドグラフデータベース４１は、保存期間を過ぎたデータを破棄するが、指定期間保存トレンドグラフデータベース４４はユーザが削除操作を行うまで保存可能である。尚本実施形態の動作に並行して実施の形態１の動作を行っても良い。
【００４１】
実施の形態３．
上記実施の形態１では、トレンドグラフ画面に分割表示する過去データを、トレンドグラフデータベース４１から収集する場合について述べたが、本実施形態においては、図１４に示すように、リムーバブルメディア５１を設け、リムーバブルメディア５１上の指定期間保存トレンドグラフデータベース５２、リムーバブルメディア５１上の指定期間保存警報履歴データベース５３、およびリムーバブルメディア５１上の指定期間保存機器操作動作履歴データベース５４を設けたものである。そしてトレンドグラフデータベース４１からではなく、リムーバブルメディア５１上の指定期間保存トレンドグラフデータベース５２から、リムーバブルメディア５１上の指定期間の再生時刻に対応するトレンドグラフデータ（第２の過去データ）を取り出すようにする。これによりリムーバブルメディア５１上の指定期間で発生したプラント異常やプラント監視制御システム異常の発生個所や原因を参考に、新たに発生の可能性があるプラント異常やプラント監視制御システム異常に対して迅速に対処することも可能である。又リムーバブルメディア５１を使用する場合、データを保存した監視制御装置１４以外の監視制御装置でもデータの参照が可能となる。又執務パソコンでも参照することができ、データ分析等が可能となる。尚本実施形態の動作に並行して実施の形態１の動作を行っても良い。
【００４２】
実施の形態４．
上記実施の形態１〜３では、トレンドグラフ画面６２の任意の過去データの時刻をマーキングポイントとして登録しておき、運転員が現在データとの対比を所望する場合にマーキングポイント操作ウィンドウ１１１を操作して、トレンドグラフ画面６２を分割し現在データと過去データを対比表示する場合について述べたが、本実施形態においては、図１５に示すように、警報履歴一覧画面６３で警報履歴データベース４２に格納されている各警報イベントを選択できる警報イベント参照ボタン８４を設けたものである。図６に示すトレンドグラフ画面６２の下部には警報履歴一覧画面６３が存在するが、この警報履歴一覧画面６３における図１５に示すような警報イベント参照ボタン８４を押下すると、図１６に示すようにトレンドグラフ画面（上段）に現在データを継続表示し、更にマーキングポイントの代わりにその警報イベント発生時刻（図１６のＧ）を基準（中心）としてトレンドグラフ画面６２に表示可能な時間幅の過去データ（第３の過去データ）をトレンドグラフデータベース４１から収集し、トレンドグラフ画面（下段）に対比表示するようにしたものである。このように警報イベントを元にして表示させるので、発生したプラント異常やプラント監視制御システム異常の発生個所や原因を参考に、新たに発生の可能性があるプラント異常やプラント監視制御システム異常に対して更に迅速に対処することができるようになる。尚図１６の下段表示においては、選択された警報イベントの発生時刻（図１６のＧ）を基準としてトレンドグラフ画面６２に表示可能な時間幅を有する過去データが表示されている。警報イベントが発生する場合にプラント異常が発生する確率が高いので本実施形態は実施の形態１に比べて更に有意義である。実際の運用では警報イベント発生時の状況と現在の状況の比較によりプラント異常からの回復状況の確認ができる。又現在の状況が警報イベント発生時の状況と同じ傾向か否かを確認することもできる。尚本実施形態の動作に並行して実施の形態１〜３の動作を行っても良い。
【００４３】
実施の形態５．
上記実施の形態１〜３では、トレンドグラフ画面６２の任意の過去データの時刻をマーキングポイントとして登録しておき、運転員が現在データとの対比を所望する場合にマーキングポイント操作ウィンドウ１１１を操作して、トレンドグラフ画面６２を分割し現在データと過去データを対比表示する場合について述べたが、本実施形態においては、図１７に示すように、機器操作動作履歴一覧画面６４で機器操作動作履歴データベース４３に格納されている各機器操作動作イベントを選択できる機器操作動作イベント参照ボタン８５を設けたものである。図６に示すトレンドグラフ画面６２の下部には機器操作動作履歴一覧画面６４が存在するが、この機器操作動作履歴一覧画面６４における図１７に示すような機器操作動作イベント参照ボタン８５を押下すると、図１８に示すようにトレンドグラフ画面（上段）に現在データを継続表示し、更にマーキングポイントの代わりにその機器操作動作イベント発生時刻（図１８のＨ）を基準（中心）としてトレンドグラフ画面６２に表示可能な時間幅の過去データ（第４の過去データ）をトレンドグラフデータベース４１から収集し、トレンドグラフ画面（下段）に対比表示するようにしたものである。本実施形態においては、機器操作動作イベント発生後のプラント状態の変化を確認することを目的としている。このように現在データを見ながら過去の機器操作動作イベント発生後のプラント状態の変化を確認することにより、プラント異常等の予兆を推測することができるようになる。従って発生したプラント異常やプラント監視制御システム異常の発生個所や原因を参考に、新たに発生の可能性があるプラント異常やプラント監視制御システム異常に対して更に迅速に対処することができるようになる。尚図１８の下段表示においては、選択された機器操作動作イベントの発生時刻（図１８のＨ）を基準として、トレンドグラフ画面６２に表示可能な時間幅を有する過去データ（第４の過去データ）が表示されている。又本実施形態の動作に並行して実施の形態１〜３の動作を行っても良い。
尚本発明は、その発明の範囲内において、各実施の形態を自由に組み合わせたり、各実施の形態を適宜、変形、省略したりすることが可能である。
【符号の説明】
【００４４】
１１  プラント監視制御システム、１２  プラント監視制御対象機器、
１３  コントローラ、１４  監視制御装置、１６  表示装置、１７  入力装置、
１９  マウス、４１  トレンドグラフデータベース、
４４  指定期間保存トレンドグラフデータベース、
４９  マーキングポイントデータベース、５１  リムーバブルメディア、
５２  リムーバブルメディア上の指定期間保存トレンドグラフデータベース、
６２  トレンドグラフ画面、６３  警報履歴一覧画面、
６４  機器操作・動作履歴一覧画面、９１  マーキングポイント。
【図１】
2017215881.tif 000003
【図２】
2017215881.tif 000004
【図３】
2017215881.tif 000005
【図４】
2017215881.tif 000006
【図５】
2017215881.tif 000007
【図６】
2017215881.tif 000008
【図７】
2017215881.tif 000009
【図８】
2017215881.tif 000010
【図９】
2017215881.tif 000011
【図１０】
2017215881.tif 000012
【図１１】
2017215881.tif 000013
【図１２】
2017215881.tif 000014
【図１３】
2017215881.tif 000015
【図１４】
2017215881.tif 000016
【図１５】
2017215881.tif 000017
【図１６】
2017215881.tif 000018
【図１７】
2017215881.tif 000019
【図１８】
2017215881.tif 000020